(57)【要約】【課題】ロール収納袋の提供にあたり、保管中における汚損防止やコスト低減、コンパクト化を図り、使用時にあってはロール巻きシートなどの取り出し性を高め、廃棄時にあっては分別やリサイクルを容易にする。【解決手段】ロール状内容物を袋状本体内に密封状態で格納して、使用時に上部のミシン目を破って外に引き出し、ミシン目付近に配した補強板の突起部を利用してシート部分を横に破って必要量を分離する。  補強板には、ミシン目の開放を途中で抑制するとともに、ロール状内容物の回転を円滑化と、シートなどの分離を容易にするストッパが配される。  袋状本体にあっては、柔軟性を有するプラスチック、不織布、紙などにより形成される。【選択図】  図１
2005335756.tif 000002
【特許請求の範囲】
【請求項１】
ロール状内容物（Ｘ）を収納する袋状本体(１)と、該袋状本体に形成されロール状内容物のシート部分(Ｓ)を引き出す取り出し口(１３)と、該取り出し口の付近に配され、シート部分の分離を補助する補強板(２)とを具備するロール収納袋。
【請求項２】
取り出し口(１３)がミシン目(１２)を切り離して形成されることを特徴とする請求項１記載のロール収納袋。
【請求項３】
補強板(２)に、シート部分(Ｓ)を部分的に押えて分離を促進させる突起部(２２)が配されることを特徴とする請求項１または２記載のロール収納袋。
【発明の詳細な説明】
【技術分野】
【０００１】
本発明は、ロール状に巻き取られたシート及び袋のロール収納袋に関するものである。
【背景技術】
【０００２】
ロール状製品として身近なものに、ポリ袋、キッチンペーパー、トイレットペーパー等が挙げられる。これらは図６に示すように、ロール状製品Ｘのシート部分Ｓのミシン目Ｍを利用し、手でちぎって必要枚数の袋やシートを取り出し、使用するものである（例えば、特開２００２-３４５６７８号公報）。
【０００３】
ロール状製品を収納した収納体の一つとして直方体状紙製箱が市場に出ているが、コスト高になることや、廃棄時に空箱の容積を減少させる労力が必要となること等の欠点があった（例えば、特開２００３-２１２２３２号公報）。
【０００４】
【特許文献１】特開２００２-３４５６７８号公報
【特許文献２】特開２００３-１１８７３１号公報
【特許文献３】特開２００３-２１２２３２号公報
【特許文献４】特開２００３-３４１６６６号公報
【特許文献５】実開平６-２５１２３号公報
【発明の開示】
【発明が解決しようとする課題】
【０００５】
本発明の目的は、保管中における汚損防止やコスト低減、コンパクト化を図り、使用時の取り出し性を高め、廃棄時の分別やリサイクルを容易にするロール収納袋を提供することにある。
【課題を解決するための手段】
【０００６】
本発明は、ロール状内容物を密封状態で収納しておいて、取り出し口からシート部分を引き出し、必要箇所から切断して利用する技術を踏襲する。
その手段として、ロール状製品（ロール状内容物）を密封状態で収納しておく袋状本体と、袋状本体に取り付けられる補強板を具備する。
袋状本体は、ロール状内容物を収納するものであり、収納されるロール状内容物の軸方向に対して平行状態のミシン目が配され、ミシン目は、引き裂くことによって、ロール状内容物の取り出し口を形成する。
取り出し口の密閉性が確保される場合には、予め取り出し口を開けておく技術も包含する。
補強板は、袋状本体のミシン目及び取出し口に沿ってミシン目を補強するように付近に配され、両端にミシン目の引き裂きを制限して取り出し口が大きくなる事を防止するためのストッパと、ほぼ中央に配されてシート部分のミシン目等を当ててシート部分を横方向に破って分離状態にするための突起部とを有するものが適用される。
補強板のストッパは、袋状本体に収納されたロール状内容物の両端部を押さえ込むことにより、軸方向の移動を抑制する機能を有する。
袋状本体と補強板とは、同質材料であることが望ましく、袋状本体は薄く柔軟性を有するプラスチック、不織布、紙等の材料によって形成され、補強板は袋状本体に対して相対的に機械的強度を確保するように、厚さや高度などが設定される。
【発明の効果】
【０００７】
袋状本体を軟質材料で形成することにより、製品コストを低減することができる。
ロール状内容物を密封状態として保管中の汚損防止を行うことが出来るとともに、上記により容積を小さくしてコンパクトを図ることができる。
ミシン目を開いて取り出し口の付近に補強板を配して剛性を付与することにより、使用時の型崩れを防止してシート部分の取り出し性を高める事ができる。
補強板により取り出し口付近を広い範囲で押さえることにより、ロール状内容物の回転を滑らかにする効果が得られる。
シート部分を必要長さで切断する作業時においては、補強板の突起部で力を集中させて部分的に引き裂き、容易に切断することができる。
【発明を実施するための最良の形態】
【０００８】
ロール状内容物を密封状態で収納しておく袋状本体と、袋状本体に取り付けられる補強板とを具備している。
袋状本体には、収納されるロール状内容物の軸方向に対して平行状態に合わせたミシン目が配され、ミシン目は、引き裂くことによって、ロール状内容物の取り出し口を形成する。
補強板は、袋状本体のミシン目および取り出し口に沿ってミシン目を補強するもので、ミシン目の付近にほぼ平行に配され、両端にミシン目の引き裂きを制限して取り出し口が大きくなることを防止するためのストッパと、シート部分のミシン目などを当ててシート部分を横方向に破って分離状態にするための突起部とが配される。
袋状本体は、ポリエチレン等の汎用樹脂によって形成され、フィルム状のものを貼り合せて、袋状にする技術が適用され、補強板は袋状本体と同種の材料によって、袋状本体よりも厚くするか硬質化するかなどにより剛性を持つように設定される。
【実施例１】
【０００９】
図１および図２は、本発明のロール収納袋Ａの実施例１を示し、袋状本体１と補強板２とが張り合わせた状態で提供される。
【００１０】
袋状本体１は、例えばポリエチレン樹脂のシートまたはチューブで筒状にしたものの両端を重ね合わせ状態にして、超音波溶着、熱溶着、最適接着剤などで接着して密封するシール部１１を形成するとともに、図１および図２に示すように、収納されるロール状内容物Ｘの軸方向に沿ったミシン目１２を形成しておき、ミシン目１２を切り開くことにより取り出し口１３が形成される。
上記ミシン目１２の長さは、ロール状製品（ロール状内容物）Ｘの軸方向寸法に合わせて、ほぼ同程度に設定される。
【００１１】
補強板２は、袋状本体１のミシン目１２および取り出し口１３に沿って、ミシン目１２の側部を補強するように配され、その両端に配されるフック状のストッパ２１と、ほぼ中央に配されてミシン目１２およびシート部分Ｓを臨んだ状態の突起部２２とを有している。
【００１２】
袋状本体１と補強板２とについて、補足説明すると、補強板２も袋状本体１と同質材料とすることが望ましく、例えば袋状本体１が軟質ポリエチレン、補強板２が硬質ポリエチレンというように設定されるとともに、補強板２が袋状本体１に対して相対的に機械的強度を確保するように、厚さを増やすなどの設定がなされる。
また、ロール状内容物Ｘが巻芯Ｙを有している場合には、巻芯Ｙも同材質であることが望ましい。
【００１３】
これらの構成のロール収納袋Aでは、袋状本体１の内部にロール状内容物Ｘを収納しておいて、使用時にミシン目１２を開いて取り出し口１３を形成し、図１および図２に示すように、ロール状内容物Ｘのシート部分Ｓを引き出すと、両ストッパ２１の間にシート部分Ｓを位置合わせした状態とし、図６に示すミシン目Ｍを突起部２２に合わせてシート部分Ｓを突起部２２に押し付けるように力を加えて、シート部分Ｓを必要な長さで横方向に破って分離状態にする操作で供される。
また、一対のストッパ２１は、ロール状内容物Ｘの収納時にあっては、その両端を押さえ込むことにより、軸方向の移動を抑制する機能を発揮し、シート部分Ｓの引き出し時にあっては、シート部分Ｓがストッパ２１から外れることを防止する機能を発揮することになる。
【実施例２】
【００１４】
図３は、本発明のロール収納袋Aの実施例２を示している。この技術では、袋状本体１がポリエチレンシートなどを折りたたんで、張り合わせた状態の背張り部１４を形成することにより筒状とされるが、その際に図１や図２に示したミシン目Ｍを配することなく、予め切り開いた上体の取り出し口１３が形成される。この取り出し口１３にあっては、ポリエチレンシートなどを裏打ちして二重になし、塵埃などの侵入を防ぐ技術を採用することを妨げない。その他の箇所にあっては、実施例１に準じるため、説明を省略する。
【実施例３】
【００１５】
図４は、本発明のロール収納袋Aの実施例３を示している。この技術では、袋状本体１の長手方向にミシン目１２が連続形成されており、ミシン目１２を開く際に、補強板２のストッパ２１で開口寸法の拡大を制限して、ロール状内容物Ｘの軸方向寸法に合わせる技術が採用される。その他の箇所にあっては、重複するため説明を省略する。
【実施例４】
【００１６】
図5は、本発明のロール収納袋Ａの実施例4を示している。この技術では、袋状本体１の長手方向にミシン目１２が連続形成され、かつ、補強板２において実施例１〜３のストッパ２１が省略され、代わりにミシン目１２の途中に独立した一対のストッパ３１が貼付状態に配される。
このストッパ３１は、相対的に袋状本体１よりも剛性を高め、ミシン目１２を開く際に、開口寸法の拡大を制限するものであり、袋状本体１や補強板２と同材質のものが選定される。その他の箇所にあっては、重複するため説明を省略する。
【産業上の利用可能性】
【００１７】
ここまでの説明では、ロール状内容物Ｘについて、図６に示すように、ミシン目Ｍがあることを前提としたが、シート部分Ｓが横方向に引き裂き易いものであれば、ミシン目Ｍを省略することも可能である。
袋状本体１の形成材料にあっては、前述したポリエチレンの他に、ポリプロピレン、ポリエステル、アルミ蒸着フィルム、ラミネートフィルム、不織布、紙これらの複合品や類似品などのチューブやシートを包含する。
ロール状内容物Ｘにあっては、ポリ袋、キッチンペーパー、アルミホイルなど、いわゆるロール状で切断分離して使用するものを包含する。
【図面の簡単な説明】
【００１８】
【図１】本発明のロール収納袋の実施例１を示す使用状態の斜視図である。
【図２】本発明のロール収納袋の実施例１を示し、（ａ）は平面図、（ｂ）            は正断面図である。
【図３】本発明のロール収納袋の実施例２を示す平面図である。
【図４】本発明のロール収納袋の実施例３を示す平面図である。
【図５】本発明のロール収納袋の実施例４を示す平面図である。
【図６】ロール状製品の例を示す斜視図である。
【符号の説明】
【００１９】
Ａ  ロール収納袋
Ｘ  ロール状製品（ロール状内容物）
Ｓ  シート部分
Ｍ  ミシン目
Ｙ  巻芯
１  袋状本体
２  補強板
１１  シール部
１２  ミシン目
１３  取り出し口
１４  背張り部
２１  ストッパ
２２  突起部
３１  ストッパ
【図１】
2005335756.tif 000003
【図２】
2005335756.tif 000004
【図３】
2005335756.tif 000005
【図４】
2005335756.tif 000006
【図５】
2005335756.tif 000007
【図６】
2005335756.tif 000008